(57)【要約】エレベータのかごまたはオモリを緩衝器の上端部位置より下降しないように支持するバッファキャップを緩衝器の上端部に着脱可能に固定するエレベータのバッファキャップ固定装置において、緩衝器の緩衝部を覆う防塵カバーと、一方が緩衝器の上端部近傍に固定されており、通常時は防塵カバーと共に配置され、使用時は緩衝器の上端部より上方に伸長した状態で配置されている弾性体と、バッファキャップの上端部に設けられ、弾性体が係合可能な切り欠き部と、を備え、弾性体は、使用時に切り欠き部に係合してバッファキャップの上端部を上方から下降方向に付勢することを特徴とする。
2020188786.tif 000002
【特許請求の範囲】
【請求項１】
エレベータのかごまたはオモリが緩衝器に当接しないように下降を制限するバッファキャップを前記緩衝器の上端部に着脱可能に取付けるエレベータのバッファキャップ取付け装置において、
前記緩衝器の緩衝部を覆う防塵カバーと、一方が前記緩衝器の上端部近傍に固定されており、通常時は前記防塵カバーと共に配置され、使用時は他方が前記緩衝器の上端部より上方に伸長した状態で配置されている弾性体と、
前記バッファキャップの上端部に設けられ、前記弾性体が係合可能な切り欠き部と、を備え、
前記弾性体は、前記防塵カバーに一体的に形成されており、前記防塵カバーと共に伸縮可能であって、前記使用時に前記切り欠き部に係合して前記バッファキャップの上端部を上方から下降方向に付勢することを特徴とするエレベータのバッファキャップ取付け装置。
【請求項２】
前記防塵カバーには前記弾性体が網目状に配置されていることを特徴とする請求項１に記載のエレベータのバッファキャップ取付け装置。
【請求項３】
前記バッファキャップの下端部には下方向に突出する突起部が設けられており、前記緩衝器の上端部には前記突起部と係合可能な溝が設けられていることを特徴とする請求項１〜２のいずれかに記載のエレベータのバッファキャップ取付け装置。
【請求項４】
前記弾性体は、一方が前記緩衝部の下端部近傍に固定されており、通常時は他方が前記防塵カバーの上部に配置されていることを特徴とする請求項１〜３のいずれかに記載のエレベータのバッファキャップ取付け装置。
【発明の詳細な説明】
【技術分野】
【０００１】
この発明は、エレベータのかごまたはオモリが緩衝器に当接しないように下降を制限するバッファキャップに関するものである。
【背景技術】
【０００２】
バッファキャップをかご側緩衝器またはオモリ側緩衝器に取り付けた状態では、エレベータの運転が不可能なので、かごの下面またはオモリの下面とバッファとが衝突することはなく、かご等の破損を防止できるエレベータ（特許文献１）がある。また、プランジャの外周部とこれに近接する部位との間の隙間に異物が付着、侵入するのを阻止する防塵構造のプランジャの伸縮動作による破損を抑制したエレベータのオイルバッファ（特許文献２）がある。
【先行技術文献】
【特許文献】
【０００３】
【特許文献１】特開２００７−２５４１０３
【特許文献２】特開２００４−１０２７７
【発明の概要】
【発明が解決しようとする課題】
【０００４】
しかしながら、このような防塵構造（カバー）を有する緩衝器でバッファキャップを使用する場合、バッファキャップを取り付けるために、この防塵カバーをいったん取り外して、使用後に取り外したカバーを元に戻す作業が発生するため、バッファキャップの使用に手間がかかるという課題があった。また、バッファキャップを使用する前に緩衝器から取り外した防塵カバーを一時的に保管するための場所や器具を予め確保する手間がかかるという課題があった。【０００５】
この発明は、上記のような課題を解決するためになされたものであり、その目的は、緩衝器に取り付けられる防塵カバーを緩衝器から取り外すことなく、バッファキャップを緩衝器に着脱可能なエレベータのバッファキャップ取付け装置を提供することである。
【課題を解決するための手段】
【０００６】
この発明は、エレベータのかごまたはオモリが緩衝器に当接しないように下降を制限するバッファキャップを緩衝器の上端部に着脱可能に取付けるエレベータのバッファキャップ取付け装置において、緩衝器の緩衝部を覆う防塵カバーと、一方が緩衝器の上端部近傍に固定されており、通常時は防塵カバーと共に配置され、使用時は他方が緩衝器の上端部より上方に伸長した状態で配置されている弾性体と、バッファキャップの上端部に設けられ、弾性体が係合可能な切り欠き部と、を備え、弾性体は、防塵カバーに一体的に形成されており、防塵カバーと共に伸縮可能であって、使用時に切り欠き部に係合してバッファキャップの上端部を上方から下降方向に付勢することを特徴とするものである。
【発明の効果】
【０００７】
この発明は、緩衝器に取り付けられる防塵カバーを緩衝器から取り外すことなく、バッファキャップを緩衝器に取付け可能なエレベータのバッファキャップ取付け装置を実現できる。
【図面の簡単な説明】
【０００８】
【図１】この発明の実施の形態１によるバッファキャップ取付け装置全体（通常時）を示す正面図である。
【図２】この発明の実施の形態１による図１のバッファキャップ取付け装置（組立時）を示す正面図である。
【図３】この発明の実施の形態１による図１のバッファキャップ取付け装置（使用時）を示す正面図である。
【図４】この発明の実施の形態１による図１のバッファキャップ取付け装置（通常時）の要部を示す正面図（拡大図）である。
【図５】この発明の実施の形態１による図１のバッファキャップ取付け装置（組立時）の要部を示す正面図（拡大図）である。
【図６】この発明の実施の形態１による図１のバッファキャップ取付け装置（使用時）の要部を示す正面図（拡大図）である。
【図７】この発明の実施の形態１による図６のバッファキャップ取付け装置（使用時）の弾性体を示す正面図（拡大図）である。
【図８】この発明の実施の形態１による図５のバッファキャップ取付け装置（組立時）の緩衝器及びバッファキャップを示す正面図（拡大図）である。
【図９】この発明の実施の形態２による図１のバッファキャップ取付け装置（通常時）の要部を示す正面図（拡大図）である。
【図１０】この発明の実施の形態２による図１のバッファキャップ取付け装置（組立時）の要部を示す正面図（拡大図）である。
【図１１】この発明の実施の形態２による図１のバッファキャップ取付け装置（使用時）の要部を示す正面図（拡大図）である。
【発明を実施するための形態】
【０００９】
実施の形態１．
図１〜８は、この発明の実施の形態１によるエレベータのバッファキャップ取付け装置を説明するもので、図１はバッファキャップ取付け装置全体（通常時）を示す正面図、図２はバッファキャップ取付け装置（組立時）を示す正面図、図３はバッファキャップ取付け装置（使用時）を示す正面図、である。図４はバッファキャップ取付け装置（通常時）の要部を示す正面図（拡大図）、図５はバッファキャップ取付け装置（組立時）の要部を示す正面図（拡大図）、図６はバッファキャップ取付け装置（使用時）の要部を示す正面図（拡大図）、図７はバッファキャップ取付け装置（使用時）の弾性体を示す正面図（拡大図）、図８はバッファキャップ取付け装置（組立時）の緩衝器及びバッファキャップを示す正面図（拡大図）である。なお、エレベータの乗場、昇降路内に設けられる機器等は図示を省略している。
【００１０】
図において、緩衝器１はオイルバッファであり、エレベータの昇降路２（ピット３）に設けられている。緩衝器１は、かご４やオモリ５が上部から落下して衝突する際に生じる衝撃を吸収する装置である。緩衝器１はピット３に常設されているため、緩衝部４の油圧機構に埃や塵が付着しやすい。この緩衝部６に付着した埃や塵が緩衝器１内部に侵入すると、緩衝器１が所定の機能を発揮できない場合がある。そのため、緩衝部６には埃や塵が付着するのを防止する防塵カバー７が取り付けられている。防塵カバー７は、柔らかな生地（ビニールまたは布）で形成されたカバー部８を有しており、緩衝部６全体を覆うように取り付けられている。
【００１１】
カバー部８には網目状にバネ９が一体的に形成されており、このバネ９の伸縮と共にカバー部８の生地も伸縮するように配置されている。バネ９は、一方が緩衝器１の上端部近傍に固定されており、通常時は防塵カバー７と共に配置され、使用時は他方が緩衝器１の上端部より上方に伸長した状態で配置されている。また、防塵カバー７のサイズは、緩衝部６に取り付けられる前（バネ９が縮んだ状態）では、緩衝部６のサイズより小さくなるように形成されている。そこで、防塵カバー７を緩衝部６に取り付けるとき、バネ９を伸ばしながらカバー部８が緩衝部６全体を覆うように取り付けられるため、バネ９の弾性力が作用してカバー部８が緩衝部６の形状に合わせて収縮するように装着されている。
【００１２】
バッファキャップ１０は、通常は使用しないため、使用しないときは単体で昇降路２内などに保管（図示しない）されている。バッファキャップ１０を使用する場合、すなわち、所定位置まで下降移動したかご４またはオモリ５を所定位置より下降しないように一時的に支持する場合、バッファキャップ１０は緩衝器１の上端部に装着される。バッファキャップ１０の上端部にはバネ９が係合可能な切り欠き部１１が２カ所に設けられている。切り欠き部１１は、バッファキャップ１０を上部から見たとき対角線上に配置されている。バッファキャップ１０の下端部には下方向に突出する突起部１２が４か所に設けられており、緩衝器１の上端部には突起部１２と係合可能な溝１３が４カ所に設けられている。溝１３は、緩衝器１を上部から見たとき対角線上に配置されている。
【００１３】
バッファキャップ１０は、シンプルな円筒形状に形成されているため、バッファキャップ１０を緩衝器１の上端部に配置して、上部からかご４またはオモリ５が当接して荷重が作用した場合、バッファキャップ１０の下端部がバッファ１の上端部で滑動し、バッファキャップ１０が予め設定した位置からずれたり、傾いてしまうことがある。そこで、突起部１２と溝１３とを係合させて、緩衝器１の上端部にバッファキャップ１０が配置されている。また、バッファキャップ１０を使用時には、防塵カバー７は緩衝部４から外されると共に、緩衝器１の上端部側に引き上げられて配置されている。さらに、防塵カバー７が緩衝器１の上端部側に引き上げられるとき、防塵カバー７は、緩衝部４に取り付けられた状態の表裏がひっくり返されており、下部が上部に引き上げられることによって、上下が入れ替わった状態で配置されている。ここで、緩衝器１の上端部側に配置された防塵カバー７の上部に配置されたバネ９が、さらに上方向に引き伸ばされると共に、バッファキャップ１０の切り欠き部１１に引っ掛けられている。これにより、バネ９の弾性力が切り欠き部１１に作用して、バッファキャップ１０は緩衝器１の上端部に付勢されている。
【００１４】
次に、上記のように構成された実施の形態１の動作について説明する。バッファキャップ１０を使用する場合、始めにバッファキャップ１０の突起部１２を緩衝器１の溝１３に係合させて、バッファキャップ１０を緩衝器１の上端部に配置する。次に、緩衝器１の緩衝部６に取り付けられている防塵カバー７の下部をつかみながら上方へ引き上げると共に、バネ９の端部を上方へ伸ばしながらバッファキャップ１０の切り欠き部１１に引っ掛ける。これにより、バッファキャップ１０の切り欠き部１１にバネ９が収縮する方向の弾性力が上方から下降方向（緩衝器１の上端部側）に作用して、バッファキャップ１０は緩衝器１の上部に付勢されるため、所定の位置からずれたり、傾くことなく緩衝器１の上部に直立するように支持される。
【００１５】
バッファキャップ１０の使用を終了する場合、バッファキャップ１０の切り欠き部１１からバネ９の端部を取り外し、バッファキャップ１０を緩衝器１の上端部から取り外す。このとき、防塵カバー７は緩衝器１の上端部側に配置されているため、バネ９を下方向に伸ばしながら防塵カバー７が緩衝部６全体を覆うように配置する。すなわち、バッファキャップ１０を使用する場合と逆の手順で緩衝部６から外された防塵カバー７を緩衝部６に取り付けることで、防塵カバー７を元の状態に復帰させる。
【００１６】
上記のように実施の形態１によれば、エレベータのかご４またはオモリ５が緩衝器１に当接しないように下降を制限するバッファキャップ１０を緩衝器１の上端部に着脱可能に取付けるエレベータのバッファキャップ取付け装置において、緩衝器１の緩衝部６を覆う防塵カバー７と、一方が緩衝器１の上端部近傍に固定されており、通常時は他方が防塵カバー７と共に配置され、使用時は他方が緩衝器１の上端部より上方に伸長した状態で配置されているバネ９と、バッファキャップ１０の上端部に設けられ、バネ９が係合可能な切り欠き部１１と、を備え、バネ９は、防塵カバー７に一体的に形成されており、防塵カバー７と共に伸縮可能であって、使用時に切り欠き部１１に係合してバッファキャップ１０の上端部を上方から下降方向に付勢することにより、バッファキャップ１０が緩衝器１の上端部に直立するために必要な保持力を作用させる。すなわち、防塵カバー７がこの保持力をバッファキャップ１０に作用させるので、防塵カバー７を緩衝器１から取り外すことなく、バッファキャップ１０を緩衝器１に取付け可能なエレベータのバッファキャップ取付け装置を提供することができる。また、バッファキャップ１０を使用するときに緩衝器１から防塵カバー７を取り外すことがないため、防塵カバー７を保管する手間もいらない。また、バッファキャップ１０は、シンプルな円筒形状にすることができるため、ネジ等の保持手段や滑り止め装置が不要となり、保管場所の省スペース化やコストダウンに貢献することができる。
【００１７】
また、防塵カバー７にはバネ９が網目状に配置されていることにより、防塵カバー７が緩衝部６に取り付けられているとき、防塵カバー７にバネ９が収縮する弾性力が作用して、緩衝部６と防塵カバー７との隙間を最小限にすることにより、埃や塵の付着が軽減されるので、防塵カバー７の防塵効果を高めることができる。
【００１８】
また、バッファキャップ１０の下端部には下方向に突出する突起部１２が設けられており、緩衝器１の上端部には突起部１２と係合可能な溝１３が設けられていることにより、バッファキャップ１０の上端にかご４やオモリの荷重が作用したとき、突起部１２と溝１３とが係合することで、バッファキャップ１０は下端部が緩衝器１の上端部に保持されるため、所定の位置からずれたり、傾くことなく緩衝器１の上部に直立して支持される。
【００１９】
実施の形態２．
図９〜１１は、この発明の実施の形態２によるエレベータのバッファキャップ取付け装置を説明するもので、図９はバッファキャップ取付け装置（通常時）の要部を示す正面図（拡大図）、図１０はバッファキャップ取付け装置（組立時）の要部を示す正面図（拡大図）、図１１はバッファキャップ取付け装置（使用時）の要部を示す正面図（拡大図）である。この発明の実施の形態２によるエレベータのバッファキャップ取付け装置は、要部に弾性体の一方が緩衝部の下端部近傍に固定されていることが異なり、それ以外の同様な部分に同じ記号を付記し説明を省略する。
【００２０】
図において、バネ１４は、一方が緩衝部６の下端部近傍に固定されており、通常時は他方が防塵カバー１５の上部に配置されている。防塵カバー１５は、緩衝部６を覆っている部分の上部がそのまま上方に延長されており、防塵カバー１５の延長された部分が緩衝器１の上端部近傍に収縮された状態で配置されている。
【００２１】
次に、上記のように構成された実施の形態２の動作について説明する。バッファキャップ１０を使用する場合、始めにバッファキャップ１０の突起部１２を緩衝器１の溝１３に係合させて、バッファキャップ１０を緩衝器１の上端部に配置する。次に、緩衝器１の上端部近傍に配置されているバネ１４の端部をつかみながら上方へ引き上げると共に、バネ１４の端部を上方へ伸ばしながらバッファキャップ１０の切り欠き部１１に引っ掛ける。これにより、バッファキャップ１０の切り欠き部１１にバネ１４が収縮する方向の弾性力が上方から下降方向（緩衝器１の上端部側）に作用して、バッファキャップ１０は緩衝器１の上部に付勢されるため、所定の位置からずれたり、傾くことなく緩衝器１の上部に直立するように支持される。このとき、バネ１４が緩衝器１の上方へ引き上げられているので、緩衝部６を覆っている防塵カバー１５には収縮する方向の弾性力が作用している。また、バッファキャップ１０を使用するとき、緩衝部６を覆った状態の防塵カバー１５はそのまま配置されており、着脱されることはない。
【００２２】
バッファキャップ１０の使用を終了する場合、バッファキャップ１０の切り欠き部１１からバネ１４の端部を取外し、バッファキャップ１０を緩衝器１の上端部から取り外す。
【００２３】
上記のように実施の形態２によれば、バネ１４は、一方が緩衝部６の下端部近傍に固定されており、通常時は他方が防塵カバー１５の上部に配置されていることにより、バッファキャップ１０が緩衝器１の上端部に直立するために必要な保持力を作用させる。すなわち、防塵カバー１５がこの保持力をバッファキャップ１０に作用させるので、防塵カバー１５を緩衝器１から取り外すことなく、バッファキャップ１０を緩衝器１に取付け可能なエレベータのバッファキャップ取付け装置を提供することができる。また、バッファキャップ１０を使用するときに緩衝部６から防塵カバー１５を取り外すことがないため、常に埃や塵が付着するのを防止できる。
【００２４】
なお、実施の形態１では、防塵カバー７のカバー部８には網目状にバネ９が一体で取り付けられているが、必ずしも全体に亘って配置する必要はない。すなわち、防塵カバー７のカバー部８にバネ９を網目状ではなく部分的に配置して、バッファキャップ１０に所定の弾性力が作用するようにしても良い。
【００２５】
また、実施の形態１では、切り欠き部１１は、バッファキャップ１０を上部から見たとき対角線上に配置しているが、必ずしも対角線上に配置する必要はない。例えば、バッファキャップ１０を上部から見たとき、この切欠き部１０の位置を互いに結んだときの直線によって形成される形状が正三角形または正多角形を成すように切り欠き部１１を配置しても良い。
【００２６】
また、実施の形態１では、バッファキャップ１０の下端部には突起部１２が設けられており、緩衝器１の上端部には溝１３を設けているが、必ずしも設ける必要はない。例えば、バッファキャップ１０の下端部と緩衝器１の上端部との間に、突起部１２及び溝１３の代わりに滑り止め等を設けても良い。これにより、バッファキャップ１０を使用時に突起部１２及び溝１３による作用・効果と同等の作用・効果を奏することができる。
【００２７】
また、実施の形態２では、防塵カバー１５は、緩衝部６を覆っている部分の上部がそのまま上方に延長されているが、必ずしもカバー部８を配置する必要はない。すなわち、防塵カバー１５の緩衝部６を覆っている部分の上部（緩衝器１の上端部側）は、カバー部８を設けず、バネ１４のみ配置しても良い。
【００２８】
また、実施の形態１及び２では、バネ９またはバネ１４の端部をバッファキャップ１０の切り欠き部１１に引っ掛けているが、必ずしもバネ９またはバネ１４の端部を切り欠き部１１に引っ掛ける必要はない。例えば、バッファキャップ１０の長さが短い場合、バネ９またはバネ１４を上方に引き上げたとき、バネ９またはバネ１４の端部ではなく網目の中間部分を切り欠き部１１に引っ掛けることができる。これにより、バッファキャップ１０の長さに拘わらず、同じサイズの防塵カバー７または防塵カバー１５をそのまま用いることが可能になり、バッファキャップ１０に所定の弾性力を作用させることができる。
【００２９】
また、実施の形態１及び２では、弾性体としてバネ９またはバネ１４を用いているが、バネ９またはバネ１４の代わりに他の弾性体としてゴム等を用いても同等の作用・効果を奏することは言うまでもない。
【００３０】
また、実施の形態１及び２では、カバー部８としてビニールまたは布を用いているが、ビニールまたは布の代わりに、緩衝部６を覆うことが可能であり、かつバネ９またはバネ１４を一体的に形成可能な防塵機能を有する素材を用いても同等の作用・効果を奏することは言うまでもない。
【符号の説明】
【００３１】
１  緩衝器、２  昇降路、３  ピット、４  かご、５  オモリ、６  緩衝部、７，１５  防塵カバー、８  カバー部、９，１４  バネ、１０  バッファキャップ、１１  切り欠き部、１２  突起部、１３  溝  
【産業上の利用可能性】
【００３２】
本発明は、エレベータのかごまたはオモリが緩衝器に当接しないように下降を制限するバッファキャップに関するものである。
【図１】
2020188786.tif 000003
【図２】
2020188786.tif 000004
【図３】
2020188786.tif 000005
【図４】
2020188786.tif 000006
【図５】
2020188786.tif 000007
【図６】
2020188786.tif 000008
【図７】
2020188786.tif 000009
【図８】
2020188786.tif 000010
【図９】
2020188786.tif 000011
【図１０】
2020188786.tif 000012
【図１１】
2020188786.tif 000013
【国際調査報告】
2020188786.tif 000014
2020188786.tif 000015
2020188786.tif 000016
2020188786.tif 000017